(57)【要約】【課題】テレビ画像のフレームから高画質なプリント用画像を生成するテレビ受像装置を提供する。【解決手段】テレビ画像を受信して表示するテレビ受像装置であって、テレビ画像を受信する画像受信部と、画像受信部が受信したテレビ画像のフレームがプリントに適しているか否かを判断する画像判断部と、画像判断部がプリントに適していると判断した場合のフレームを、画像判断部がプリントに適していないと判断した場合のフレームより大きい情報量で格納する画像格納部とを備える。【選択図】  図２
2004247973.tif 000002
【特許請求の範囲】
【請求項１】
テレビ画像を受信して表示するテレビ受像装置であって、
前記テレビ画像を受信する画像受信部と、
前記画像受信部が受信した前記テレビ画像のフレームがプリントに適しているか否かを判断する画像判断部と、
前記画像判断部がプリントに適していると判断した場合の前記フレームを、前記画像判断部がプリントに適していないと判断した場合の前記フレームより大きい情報量で格納する画像格納部と
を備えることを特徴とするテレビ受像装置。
【請求項２】
前記画像格納部は、前記画像判断部がプリントに適していると判断した場合の前記フレームを、前記画像判断部がプリントに適していないと判断した場合の前記フレームより低圧縮で格納することを特徴とする請求項１に記載のテレビ受像装置。
【請求項３】
連続する複数の前記フレームに基づいて、前記複数のフレームに渡る被写体の動きを示す動きベクトルを算出する動きベクトル算出部をさらに備え、
前記画像判断部は、前記動きベクトル算出部が算出した前記動きベクトルが予め定められた大きさより小さい場合に、前記複数のフレームがプリントに適していると判断すること特徴とする請求項１に記載のテレビ受像装置。
【請求項４】
前記画像格納部が格納している前記複数のフレームを用いて、前記複数のフレームのうちの特定のフレームを高解像度化してプリント用画像を生成する画像処理部をさらに備えることを特徴とする請求項３に記載のテレビ受像装置。
【請求項５】
前記プリント用画像がプリントされるべきプリントサイズを取得するプリントサイズ取得部と、
前記プリントサイズ取得部が取得した前記プリントサイズに基づいて、前記動きベクトル算出部が前記動きベクトルを算出するために用いる前記フレームの数を決定するフレーム数決定部と
をさらに備えることを特徴とする請求項４に記載のテレビ受像装置。
【請求項６】
前記画像格納部が格納している前記複数のフレームのうちの２以上のフレームをそれぞれ用いて、前記複数のフレームのうちの特定のフレームに対して複数の異なる高解像度化処理を施し、複数のプリント用画像を生成する画像処理部と、
ユーザに選択させるべく、前記画像処理部が生成した前記複数のプリント用画像を表示する表示部と、
前記ユーザによって選択された前記プリント用画像を印刷装置に送信して印刷させる印刷部と
を備えることを特徴とする請求項４に記載のテレビ受像装置。
【請求項７】
被写体を識別する被写体識別情報を格納する被写体情報格納部をさらに備え、
前記画像判断部は、前記被写体情報格納部が格納する前記被写体識別情報で識別される前記被写体を含むフレームのうちの連続する複数のフレームに渡る前記動きベクトルが予め定められた大きさより小さい場合に、当該複数のフレームがプリントに適していると判断することを特徴とする請求項３に記載のテレビ受像装置。
【発明の詳細な説明】
【０００１】
【発明の属する技術分野】
本発明は、テレビ受像装置に関する。特に本発明は、テレビ画像を受信して表示し、またプリント用のテレビ画像を格納するテレビ受像装置に関する。
【０００２】
【従来の技術】
テレビ放送により受信したテレビ画像をプリントする場合に、家庭用のビデオプリンタが用いられている。しかしながら、テレビ画像の１つのフレームに含まれる画像情報の情報量は限られており、従来の家庭用のビデオプリンタでは、プリントされた画像に十分な画質を得ることが困難である。
【０００３】
そこで、テレビ画像を高画質にプリントする画像プリントシステムが提案されている（例えば、特許文献１参照。）。特許文献１に開示された画像プリントシステムでは、テレビ画像の各コマにコマ識別情報が付加されてテレビ放送され、プリントを希望するコマのコマ識別情報をユーザが指定してプリント受注業者に送信する。そして、プリント受注業者は、ユーザから送信されたコマ識別情報で識別されるコマを、予め格納している高解像度のオリジナル画像データを用いてプリントしてユーザに納品する。
【０００４】
【特許文献１】
特開平１０−１７１０２７号公報
【０００５】
【発明が解決しようとする課題】
しかしながら、特許文献１に開示された画像プリントシステムでは、各コマのオリジナル画像データを予め格納しておかなければならず、テレビ放送の全てのコマについてオリジナル画像データを格納しておくことは困難である。そのため、ユーザがプリントを希望するテレビ画像を高画質でプリントできない場合が生じてしまう。また、テレビ放送の全てのコマについてオリジナル画像データを格納しておくためには、オリジナル画像データの画質を落とさざるを得ず、そのためテレビ画像を十分な画質でプリントすることが困難になってしまう。
【０００６】
そこで本発明は、上記の課題を解決することのできるテレビ受像装置を提供することを目的とする。この目的は特許請求の範囲における独立項に記載の特徴の組み合わせにより達成される。また従属項は本発明の更なる有利な具体例を規定する。
【０００７】
【課題を解決するための手段】
即ち、本発明の第１の形態によると、テレビ画像を受信して表示するテレビ受像装置であって、テレビ画像を受信する画像受信部と、画像受信部が受信したテレビ画像のフレームがプリントに適しているか否かを判断する画像判断部と、画像判断部がプリントに適していると判断した場合のフレームを、画像判断部がプリントに適していないと判断した場合のフレームより大きい情報量で格納する画像格納部とを備える。
【０００８】
画像格納部は、画像判断部がプリントに適していると判断した場合のフレームを、画像判断部がプリントに適していないと判断した場合のフレームより低圧縮で格納してもよい。
【０００９】
連続する複数のフレームに基づいて、複数のフレームに渡る被写体の動きを示す動きベクトルを算出する動きベクトル算出部をさらに備え、画像判断部は、動きベクトル算出部が算出した動きベクトルが予め定められた大きさより小さい場合に、複数のフレームがプリントに適していると判断してもよい。
【００１０】
画像格納部が格納している複数のフレームを用いて、複数のフレームのうちの特定のフレームを高解像度化してプリント用画像を生成する画像処理部をさらに備えてもよい。
【００１１】
プリント用画像がプリントされるべきプリントサイズを取得するプリントサイズ取得部と、プリントサイズ取得部が取得したプリントサイズに基づいて、動きベクトル算出部が動きベクトルを算出するために用いるフレームの数を決定するフレーム数決定部とをさらに備えてもよい。
【００１２】
画像格納部が格納している複数のフレームのうちの２以上のフレームをそれぞれ用いて、複数のフレームのうちの特定のフレームに対して複数の異なる高解像度化処理を施し、複数のプリント用画像を生成する画像処理部と、ユーザに選択させるべく、画像処理部が生成した複数のプリント用画像を表示する表示部と、ユーザによって選択されたプリント用画像を印刷装置に送信して印刷させる印刷部とを備えてもよい。
【００１３】
被写体を識別する被写体識別情報を格納する被写体情報格納部をさらに備え、画像判断部は、被写体情報格納部が格納する被写体識別情報で識別される被写体を含むフレームのうちの連続する複数のフレームに渡る動きベクトルが予め定められた大きさより小さい場合に、当該複数のフレームがプリントに適していると判断してもよい。
【００１４】
なお上記の発明の概要は、本発明の必要な特徴の全てを列挙したものではなく、これらの特徴群のサブコンビネーションも又発明となりうる。
【００１５】
【発明の実施の形態】
以下、発明の実施の形態を通じて本発明を説明するが、以下の実施形態は特許請求の範囲に係る発明を限定するものではなく、又実施形態の中で説明されている特徴の組み合わせの全てが発明の解決手段に必須であるとは限らない。
【００１６】
図１は、本発明の一実施形態に係る画像プリントシステム１００の構成の一例を示す。画像プリントシステム１００は、テレビ画像を受信して表示するテレビ受像装置１０２と、テレビ受像装置１０２が受信したテレビ画像に所定の画像処理が施されたプリント用画像をプリントする印刷装置１０４とを備える。
【００１７】
テレビ受像装置１０２は、テレビ局１０６からアナログ放送又はデジタル放送によりテレビ画像を受信する。また、テレビ受像装置１０２は、インターネット等の通信網１０８に接続され、通信網１０８を介してインターネットプロバイダー等の情報提供装置からパケット通信によりテレビ画像を受信してもよい。また、テレビ受像装置１０２は、通信網１０８を介して情報提供装置からテレビ番組欄、テレビ番組の解説、テレビ番組の出演者等を含む番組情報を受信してもよい。
【００１８】
印刷装置１０４は、有線通信媒体又は無線通信媒体によりテレビ受像装置１０２に接続され、テレビ受像装置１０２からプリント用画像を取得してプリントする。印刷装置は、テレビ受像装置１０２と同一のＬＡＮに配置されてもよいし、通信網１０８を介してテレビ受像装置１０２に接続されるプリント受注業者のＬＡＮに配置されてもよい。
【００１９】
テレビ受像装置１０２は、受信したテレビ画像の各フレームをデジタルデータで格納する。テレビ受像装置１０２は、例えばハードディスク内蔵テレビであり、ユーザが視聴している番組の画像のフレームを逐次格納してもよい。このとき、テレビ受像装置１０２は、プリントに適しているフレームを、プリントに適していないフレームより大きい情報量で格納することが好ましい。例えばプリントに適しているフレームを圧縮せずに格納し、プリントに適していないフレームを圧縮して格納する。そして、テレビ受像装置１０２は、ユーザからプリントの指示を受けたフレームに所定の画像処理を施してプリント用画像を生成し、印刷装置１０４に供給して印刷させる。なお、テレビ受像装置１０２は、リモコン１１０を介してユーザからのプリント処理に関する指示を取得してもよい。
【００２０】
本実施形態の画像プリントシステム１００によれば、テレビ受像装置１０２は、プリントに適しているフレームを大きい情報量のまま格納しておくので、フレームに対して適切な画像処理を行うことができる。そのため、高画質なプリント用画像を生成することができる。
【００２１】
図２は、本実施形態に係るテレビ受像装置１０２の構成の一例を示す。テレビ受像装置１０２は、テレビ局１０６からテレビ画像を受信する画像受信部２００と、画像受信部２００が受信したテレビ画像を表示する表示部２０２と、画像受信部２００が受信したテレビ画像のフレームを格納する画像格納部２０４と、画像格納部２０４が格納しているフレームに画像処理を施してプリント用画像を生成する画像処理部２０６と、画像処理部２０６が生成したプリント用画像を印刷装置１０４に送信してプリントさせる印刷部２０８とを備える。
【００２２】
さらに、テレビ受像装置１０２は、画像受信部２００が受信したテレビ画像のフレームがプリントに適しているか否かを判断する画像判断部２１０と、画像判断部２１０による判断処理に用いるための、画像受信部２００が受信したテレビ画像が含む複数のフレームに渡る被写体の動きを示す動きベクトルを算出する動きベクトル算出部２１２と、画像処理部２０６が生成したプリント用画像がプリントされるべきプリントサイズを取得するプリントサイズ取得部２１４と、プリントサイズ取得部２１４が取得したプリントサイズに基づいて、動きベクトル算出部が動きベクトルを算出するために用いるフレームの数を決定するフレーム数決定部２１６と、画像判断部２１０による判断処理に用いるための、被写体を識別する被写体識別情報を格納する被写体識別情報格納部２１８と、通信網１０８に接続された情報提供装置から番組情報を受信する通信部２２０と、上記の各部に対してユーザからの指示を入力するユーザ指示入力部２２２とを備える。
【００２３】
動きベクトル算出部２１２は、画像受信部２００が受信したテレビ画像の連続する複数のフレームに基づいて、複数のフレームに渡る被写体の動きベクトルを算出する。動きベクトル算出部２１２は、フレーム数決定部２１６がプリントサイズから決定した数のフレームに基づいて、複数のフレームに渡る被写体の動きベクトルを算出してもよい。なお、プリントサイズ取得部２１４は、ユーザによってユーザ指示入力部から入力されたプリントサイズ、又は印刷装置１０４に予め設定されたプリントサイズを印刷装置１０４から取得してもよい。
【００２４】
画像判断部２１０は、動きベクトル算出部２１２が算出した動きベクトルが予め定められた大きさより小さい場合に、当該複数のフレームがプリントに適していると判断する。例えば、動きベクトル算出部２１２は、複数のフレームに渡る、複数の被写点のそれぞれについて動きベクトルをそれぞれ算出する。そして、画像判断部２１０は、複数の動きベクトルのうちの最大の動きベクトルが予め定められた最大動きベクトル大きさより小さい場合、複数の動きベクトルの平均の動きベクトルが予め定められた平均動きベクトルより小さい場合、及び複数の動きベクトルの分散が予め定められた分散より小さい場合のうちの、少なくとも１つの条件を満たす場合に、当該複数のフレームがプリントに適していると判断する。
【００２５】
画像格納部２０４は、画像判断部２１０がプリントに適していると判断した場合のフレームを、画像判断部２１０がプリントに適していないと判断した場合のフレームより大きい情報量で格納する。例えば、画像格納部２０４は、画像判断部２１０がプリントに適していると判断した場合のフレームを、画像判断部２１０がプリントに適していないと判断した場合のフレームより低圧縮で格納する。具体的には、画像格納部２０４は、画像判断部２１０がプリントに適していると判断した場合のフレームを非圧縮で格納し、画像判断部２１０がプリントに適していないと判断した場合のフレームを圧縮して格納する。
【００２６】
ユーザ指示入力部２２２がプリントモードに変更する旨のユーザからの指示を入力した場合、コマーシャルが開始されたことを検出した場合、番組の終了したことを検出した場合等の予め定められた所定のタイミングにおいて、画像処理部２０６は、画像格納部２０４が大きい情報量で格納しているフレームに対して画像処理を施してプリント用画像を生成する。
【００２７】
また、画像処理部２０６は、画像格納部２０４が連続する複数のフレームを格納している場合、連続する複数のフレームを用いて、当該複数のフレームのうちの特定のフレームを高解像度化してプリント用画像を生成してもよい。また、画像処理部２０６は、画像格納部２０４が格納する連続する複数のフレームのうちの２以上のフレームをそれぞれ用いて、当該複数のフレームのうちの特定のフレームに対して複数の異なる高解像度化処理を施し、複数のプリント用画像を生成してもよい。例えば、画像処理部２０６は、特定のフレームを含む１０フレームを用いて高解像度化処理を施して第１のプリント用画像を生成し、特定のフレームを含む２０フレームを用いて高解像度化処理を施して第２のプリント用画像を生成してもよい。
【００２８】
表示部２０２は、いずれのプリント用画像をプリントするか否かをユーザに選択させるべく、画像処理部２０６が生成した複数のプリント画像を表示する。そして、印刷部２０８は、ユーザによって選択されたプリント用画像を印刷装置１０４に送信して印刷させる。
【００２９】
本実施形態のテレビ受像装置１０２によれば、プリントに適したフレームを圧縮せずに大きい情報量のまま保存するので、高画質なプリント用画像を生成することができる。また、連続する複数のフレームを大きい情報量のまま保存するので、いわゆるスーパーリゾリューションによって特定のフレームを適切に高解像度化することができる。また、プリント用画像がプリントされるべきプリントサイズに基づいて動きベクトルを算出するためのフレームの数を決定するので、特定のフレームを適切に高解像度化することができる。さらに、同一のフレームに対して異なる画像処理又は高解像度化処理を施して複数のプリント用画像を生成し、いずれのプリント用画像をプリントするかをユーザに選択させることにより、ユーザの嗜好に合った画質のプリント用画像をプリントすることができる。
【００３０】
他の例において、画像判断部２１０は、被写体情報格納部２１８が格納する被写体識別情報で識別される被写体を含むフレームのうちの連続する複数のフレームに渡る動きベクトルが予め定められた大きさより小さい場合に、当該複数のフレームがプリントに適していると判断してもよい。被写体識別情報格納部２１８は、ユーザによってユーザ指示入力部２２２から予め入力された被写体識別情報を格納する。なお、被写体とは、例えば番組に出演する出演者、番組で放映される建物等である。
【００３１】
具体的には、被写体情報格納部２１８は、被写体識別情報として被写体の画像、又は被写体の名称を表示部２０２が表示した場合の画像を格納する。そして、画像判断部２１０は、画像受信部２００が受信したテレビ画像のフレームと、被写体識別情報格納部２１８が格納する被写体の画像、又は被写体の名称を表示部２０２が表示した場合の画像とを画像照合する。そして、画像判断部２１０は、画像照合により、テレビ画像のフレームのうちの被写体識別情報格納部２１８が格納する被写体を含むフレームを検出する。そして、画像判断部２１０は、検出したフレームのうちの連続する複数のフレームに渡る動きベクトルが予め定められた大きさより小さい場合に、当該複数のフレームがプリントに適していると判断する。そして、画像格納部２０４は、画像判断部２１０が検出したフレームを大きい情報量で格納する。また、画像格納部２０４は、検出したフレームの含む連続する複数のフレームを大きい情報量で格納してもよい。
【００３２】
また他の例において、画像受信部２００が受信したテレビ画像のフレームを表示部２０２が表示しているときに、ユーザ指示入力部２２２がユーザによるフレームの大きい情報量での格納、又はフレームの印刷の指示を入力した場合に、画像判断部２１０は、表示部２０２が表示しているフレームがプリントに適していると判断してもよい。ユーザ指示入力部２２２は、例えばテレビ受像装置１０２に設けられたボタン、リモコン１１０に設けられたボタン等によるユーザからの指示を画像判断部２１０に入力する。
【００３３】
具体的には、画像判断部２１０は、ボタンが半押しされた場合に、表示部２０２が表示しているフレームを大きい情報量での格納する旨が指示されたと判断する。そして、画像格納部２０４は、表示部２０２が表示しているフレームを大きい情報量で格納する。このとき、画像格納部２０４は、表示部２０２が表示しているフレームの含む連続する複数のフレームを大きい情報量で格納してもよい。また、画像判断部２１０は、ボタンが全押しされた場合に、表示部２０２が表示しているフレームを印刷する旨が指示されたと判断する。そして、画像処理部２０６は、表示部２０２が表示しているフレームを画像格納部２０４から取得し、画像処理を施してプリント用画像を生成する。このとき、画像処理部２０６は、表示部２０２が表示しているフレームを含む連続する複数のフレームを用いて、表示部２０２が表示しているフレームを高解像度化してプリント用画像を生成してもよい。
【００３４】
このように、大きい情報量で保存するフレームを、被写体識別情報やユーザの指示に基づいて選択することにより、ユーザの嗜好に合ったフレームを大きい情報量で保存することができる。そのため、ユーザに嗜好に合ったフレームに適切な画像処理又は高解像度化処理を施して高画質なプリント用画像を生成することができる。
【００３５】
以上、本発明を実施形態を用いて説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【００３６】
【発明の効果】
上記説明から明らかなように、本発明のテレビ受像装置によれば、テレビ画像のフレームから高画質なプリント用画像を生成することができる。
【図面の簡単な説明】
【図１】画像プリントシステム１００の構成の一例を示す図である。
【図２】テレビ受像装置１０２の構成の一例を示す図である。
【符号の説明】
１００  画像プリントシステム
１０２  テレビ受像装置
１０４  印刷装置
１０６  テレビ局
１０８  通信網
１１０  リモコン
２００  画像受信部
２０２  表示部
２０４  画像格納部
２０６  画像処理部
２０８  印刷部
２１０  画像判断部
２１２  動きベクトル算出部
２１４  プリントサイズ取得部
２１６  フレーム数決定部
２１８  被写体情報格納部
２２０  通信部
２２２  ユーザ指示入力部
【図１】
2004247973.tif 000003
【図２】
2004247973.tif 000004